(57)【要約】【課題】表示面の保護を図れる携帯型無線タグ通信装置を提供する。【解決手段】リーダ１は、所定の表示を行う表示面３６Ａが水平方向かつ上側となるように設けられた、本体筐体２と、本体筐体２の下部に位置し、操作者Ｍが把持可能な把持部４と、無線タグＴに対し無線通信を行うためのリーダアンテナ１８が設けられたアンテナ筐体７と、アンテナ筐体７を、少なくとも、表示面３６Ａの上部を覆うための保護位置と、保護位置から立ち上がった、無線通信を行うための通信位置と、を含む範囲で可動となるように、表示面３６Ａから立ち上がり、表示面３６Ａの前方にアンテナ筐体７を保持する回動支持部６とを有する。【選択図】図１
2011197854.tif 000002
【特許請求の範囲】
【請求項１】
所定の表示を行う表示手段の表示面が水平方向かつ上側となるように設けられた、本体筐体と、
前記本体筐体の下部に位置し、操作者が把持可能な把持部と、
無線タグに対し無線通信を行うための装置アンテナが設けられたアンテナ筐体と、
前記アンテナ筐体を、少なくとも、前記表示面の上部を覆うための保護位置と、前記保護位置から立ち上がった、前記無線通信を行うための通信位置と、を含む範囲で可動となるように、前記表示面から立ち上がり、前記表示面の前方に前記アンテナ筐体を保持する可動支持手段と
を有することを特徴とする携帯型無線タグ通信装置。
【請求項２】
前記可動支持手段は、
前記通信位置において前記装置アンテナの放射面が略鉛直方向となるように、前記アンテナ筐体を支持する
ことを特徴とする請求項１記載の携帯型無線タグ通信装置。
【請求項３】
前記アンテナ筐体は、
前記表示面を覆う側に、鏡面を備える
ことを特徴とする請求項１記載の携帯型無線タグ通信装置。
【請求項４】
前記装置アンテナは、
電磁波を放射する放射素子と電磁波を反射する反射素子とを有しており、
前記アンテナ筐体は、
前記表示面を覆う側と反対側に前記放射素子を備えるとともに、前記放射素子と前記鏡面との間に前記反射素子を備える
ことを特徴とする請求項３記載の携帯型無線タグ通信装置。
【請求項５】
前記アンテナ筐体は、
前記反射素子と前記鏡面との間に、電磁波を減衰又は遮断するシールド部材を備える
ことを特徴とする請求項４記載の携帯型無線タグ通信装置。
【請求項６】
前記アンテナ筐体は、
前記通信位置における前記鏡面の水平面からの仰角が９０°未満となるように構成されている
ことを特徴とする請求項３乃至請求項５のいずれか１項記載の携帯型無線タグ通信装置。
【請求項７】
前記鏡面を介した視認により正像となる鏡像を前記表示面が表示するように、前記表示手段を制御可能な表示制御手段を有する
ことを特徴とする請求項３乃至請求項６のいずれか１項記載の携帯型無線タグ通信装置。
【請求項８】
前記アンテナ筐体と前記本体筐体とのなす角度を検出する検出手段と、
前記検出手段が検出した角度が所定のしきい値以上であるか否かを判定する判定手段と
を有し、
前記表示制御手段は、
前記判定手段により、前記検出手段が検出した角度が前記しきい値未満であると判定された場合には、前記表示面が前記鏡像を表示するように前記表示手段を制御し、
前記判定手段により、前記検出手段が検出した角度が前記しきい値以上であると判定された場合には、前記表示面が前記正像を表示するように前記表示手段を制御する
ことを特徴とする請求項７記載の携帯型無線タグ通信装置。
【請求項９】
前記表示面の表示態様を前記正像及び前記鏡像のいずれとするか操作者が指示可能な第１指示手段を有し、
前記表示制御手段は、
前記第１指示手段により前記正像の表示が指示された場合には、前記表示面が前記正像を表示するように前記表示手段を制御する
ことを特徴とする請求項７記載の携帯型無線タグ通信装置。
【請求項１０】
前記把持部に設けられ、前記アンテナ筐体の、前記保護位置から前記通信位置へ立ち上げ動作を操作者が指示可能な第２指示手段と、
前記第２支持手段により前記アンテナ筐体の前記立ち上げ動作が指示された場合に、前記アンテナ筐体を前記保護位置から前記通信位置へ立ち上がるように駆動する駆動手段と
を有することを特徴とする請求項１乃至請求項９のいずれか１項記載の携帯型無線タグ通信装置。
【発明の詳細な説明】
【技術分野】
【０００１】
本発明は、無線タグに対して無線通信を行う、携帯型無線タグ通信装置に関する。
【背景技術】
【０００２】
従来、携帯型無線タグ通信装置の一例が、例えば特許文献１に開示されている。この従来技術の携帯型情報読取装置では、ユーザが把持する把持部としてのグリップ部の上部に、水平に本体筐体が配置されている。水平な本体筐体の先端部近傍の下部に、無線タグとの間で通信を行う装置アンテナが設けられている。また、水平な本体筐体の上部に、表示手段が設けられている。表示手段は、小型の液晶表示面を備えている。
【先行技術文献】
【特許文献】
【０００３】
【特許文献１】特開２００７−１８３７３２号公報
【発明の概要】
【発明が解決しようとする課題】
【０００４】
携帯型無線タグ通信装置は、ユーザが携帯して持ち歩くことにより、種々の場所で使用される。上記従来技術では、表示手段の表示面が本体筐体の上部に露出して配置されており、上記のように種々の場所で使用される際、周囲物や塵埃等から表示面を保護することについては特に配慮されていなかった。
【０００５】
本発明の目的は、表示面の保護を図れる携帯型無線タグ通信装置を提供することにある。
【課題を解決するための手段】
【０００６】
上記目的を達成するために、第１の発明は、所定の表示を行う表示手段の表示面が水平方向かつ上側となるように設けられた、本体筐体と、前記本体筐体の下部に位置し、操作者が把持可能な把持部と、無線タグに対し無線通信を行うための装置アンテナが設けられたアンテナ筐体と、前記アンテナ筐体を、少なくとも、前記表示面の上部を覆うための保護位置と、前記保護位置から立ち上がった、前記無線通信を行うための通信位置と、を含む範囲で可動となるように、前記表示面から立ち上がり、前記表示面の前方に前記アンテナ筐体を保持する可動支持手段とを有する。
【０００７】
本願第１発明の携帯型無線タグ通信装置は、本体筐体と、アンテナ筐体とを有する。アンテナ筐体に備えられた装置アンテナは、無線タグと無線通信を行う。本体筐体は表示手段を備えており、表示面で所定の表示が行われる。
【０００８】
アンテナ筐体は、可動支持手段によって本体筐体に対し回転可能に支持されており、保護位置と通信位置との間を少なくとも含む範囲で可動となっている。無線タグと通信が行われるときは、アンテナ筐体は通信位置へと立ち上げられ、その通信位置において無線通信を行う。
【０００９】
無線タグとの通信が行われないときは、アンテナ筐体は保護位置へと戻される。この保護位置では、アンテナ筐体は表示面を覆い、表示面のカバーとして機能する。この結果、アンテナが無線通信を行わないときのアンテナ筐体を活用して、表示面の保護を図ることができる。
【００１０】
第２発明は、上記第１発明において、前記可動支持手段は、前記通信位置において前記装置アンテナの放射面が略鉛直方向となるように、前記アンテナ筐体を支持することを特徴とする。
【００１１】
これにより、アンテナ筐体に備えられた装置アンテナは、通信位置において、携帯型無線タグ通信装置の前方側へ向かって電磁波を放射し、通信対象の無線タグと円滑に通信を行うことができる。
【００１２】
第３発明は、上記第１発明において、前記アンテナ筐体は、前記表示面を覆う側に、鏡面を備えることを特徴とする。
【００１３】
これにより、アンテナ筐体が通信位置に立ち上げられたとき、その立ち上がったアンテナ筐体の裏面側すなわち操作者側に位置する鏡面を介し、操作者が表示面を視認することができる。この結果、携帯型無線タグ通信装置が操作者の前方側で無線タグに向かって無線通信を行っている際、操作者が表示面の内容を確認したい場合には、携帯型無線タグ通信装置を前方に位置させたまま、単に視線を鏡面に向ければ足りる。すなわち、携帯型無線タグ通信装置を手元に引き寄せ、表示面を上方からのぞき込む、という手間をかける必要はない。この結果、操作者の視認性を向上することができる。
【００１４】
第４発明は、上記第３発明において、前記装置アンテナは、電磁波を放射する放射素子と電磁波を反射する反射素子とを有しており、前記アンテナ筐体は、前記表示面を覆う側と反対側に前記放射素子を備えるとともに、前記放射素子と前記鏡面との間に前記反射素子を備えることを特徴とする。
【００１５】
これにより、アンテナ筐体が通信位置に立ち上げられたときには、携帯型無線タグ通信装置の前方側から後方側へ向かって、放射素子、反射素子、鏡面の順番で配列される。このような位置関係により、放射素子で生成された電磁波は、直接、若しくは、反射素子で反射された後、携帯型無線タグ通信装置の前方側に位置する無線タグへと確実に放射される。また、鏡面は、電磁波の放射に影響を及ぼすことなく、操作者に対し、表示面の像を映し出すことができる。
【００１６】
第５発明は、上記第４発明において、前記アンテナ筐体は、前記反射素子と前記鏡面との間に、電磁波を減衰又は遮断するシールド部材を備えることを特徴とする。
【００１７】
これにより、鏡面側への電磁波の漏れが抑制又は防止されるので、装置アンテナが無線タグとの通信をさらに効率よく行うことができる。
【００１８】
第６発明は、上記第３乃至第５発明のいずれかにおいて、前記アンテナ筐体は、前記通信位置における前記鏡面の水平面からの仰角が９０°未満となるように構成されていることを特徴とする。
【００１９】
これにより、把持部を握り自らの身体の前方に携帯型無線タグ通信装置を位置させて操作している操作者からみて、鏡面は、斜め下方に傾斜した状態となる。この結果、操作者は、鏡面を介し、確実に表示面を視認することができる。
【００２０】
第７発明は、上記第３乃至第６発明のいずれかにおいて、前記鏡面を介した視認により正像となる鏡像を前記表示面が表示するように、前記表示手段を制御可能な表示制御手段を有することを特徴とする。
【００２１】
これにより、操作者は、鏡面の中に生成される正像により、本来視認したい情報を容易に得ることができる。
【００２２】
第８発明は、上記第７発明において、前記アンテナ筐体と前記本体筐体とのなす角度を検出する検出手段と、前記検出手段が検出した角度が所定のしきい値以上であるか否かを判定する判定手段とを有し、前記表示制御手段は、前記判定手段により、前記検出手段が検出した角度が前記しきい値未満であると判定された場合には、前記表示面が前記鏡像を表示するように前記表示手段を制御し、前記判定手段により、前記検出手段が検出した角度が前記しきい値以上であると判定された場合には、前記表示面が前記正像を表示するように前記表示手段を制御することを特徴とする。
【００２３】
前述したように、無線通信が行われる場合には、アンテナ筐体は保護位置から通信位置に立ち上げられ、操作者は、アンテナ筐体の裏面側にある鏡面を介して、表示面の視認を行う。ここで、操作者が、何らかの事情で、上記鏡面越しの視認ではなく、直接表示面をのぞき込んで視認したいと意図する場合が考えられる。この場合、アンテナ筐体は、操作者の上記のぞき込む動作の妨げにならないように、通信位置からさらに上記の立ち上げ方向と同じ方向に回動される。
【００２４】
本願第８発明においては、上記に対応して、アンテナ筐体と本体筐体とのなす角度を検出する検出手段が設けられる。そして、検出手段で検出された角度が所定のしきい値以上である場合には、操作者が上記ののぞき込み動作を行っているとみなし、表示面の表示を鏡像表示から正像表示に切り替える。これにより、操作者は、特に表示切り替えに関する特別な操作を行わなくても、アンテナ筐体を大きく回動させるだけで、表示面で表示される正像により、本来視認したい情報を容易に得ることができる。
【００２５】
第９発明は、上記第７発明において、前記表示面の表示態様を前記正像及び前記鏡像のいずれとするか操作者が指示可能な第１指示手段を有し、前記表示制御手段は、前記第１指示手段により前記正像の表示が指示された場合には、前記表示面が前記正像を表示するように前記表示手段を制御することを特徴とする。
【００２６】
これにより、操作者は、自らの手動操作により、表示面に正像を表示させて直接表示面を視認して情報を得るか、表示面に鏡像を表示させて鏡面越しに表示面を視認して情報を得るか、を選択することができる。この結果、操作者にとっての利便性が向上する。
【００２７】
第１０発明は、上記第１乃至第９発明のいずれかにおいて、前記把持部に設けられ、前記アンテナ筐体の、前記保護位置から前記通信位置へ立ち上げ動作を操作者が指示可能な第２指示手段と、前記第２支持手段により前記アンテナ筐体の前記立ち上げ動作が指示された場合に、前記アンテナ筐体を前記保護位置から前記通信位置へ立ち上がるように駆動する駆動手段とを有することを特徴とする。
【００２８】
これにより、操作者が、第２指示手段を操作すると、アンテナ筐体が保護位置から通信位置へと立ち上がって、円滑に無線タグとの通信を行うことができる。
【発明の効果】
【００２９】
本発明によれば、アンテナ筐体によって、表示面を確実に保護することができる。
【図面の簡単な説明】
【００３０】
【図１】本発明の一実施形態の携帯型無線タグ通信装置の外観を表す側面図である。
【図２】ループアンテナを用いたアンテナ筐体の構成例、及び、パッチアンテナを用いたアンテナ筐体の構成例、をそれぞれ説明する説明図である。
【図３】操作者による携帯型無線タグ通信装置の使用態様を説明する説明図である。
【図４】携帯型無線タグ通信装置の機能的構成を表すブロック図である。
【図５】本発明の一実施形態の携帯型無線タグ通信装置によって実行される制御手順を、リーダ本体及びＰＤＡの間で送受される各種信号の送受と共に表すシーケンス図である。
【図６】ＰＤＡの表示面の表示内容、及び、その表示内容によって鏡面に映る鏡像を説明する説明図である。
【図７】操作者による携帯型無線タグ通信装置の使用態様を説明する説明図である。
【図８】鏡像・正像を手動操作で切り換える変形例におけるＰＤＡの表示内容を説明する説明図である。
【図９】アンテナ筐体を跳ね上げ駆動する変形例における、携帯型無線タグ通信装置の外観を表す側面図である。
【図１０】保護位置と通信位置とを別の態様で切り替える変形例を表す側面図である。
【発明を実施するための形態】
【００３１】
以下、本発明の一実施の形態を図面を参照しつつ説明する。
【００３２】
図１を用いて、本実施形態の携帯型無線タグ通信装置であるリーダの外観構成を説明する。
【００３３】
本実施形態のリーダ１は、操作者Ｍ（後述の図３参照）が把持操作可能な把持部４を備えた、いわゆるガンタイプである。なお、以下、「上側」「下側」「鉛直」等の方向は、操作者Ｍが把持部４を把持し携帯側無線タグ通信装置１を使用している状態を基準として、表している。またこの使用状態に対応し、把持部４側である図１（ａ）及び図１（ｂ）中の右側を「後方側」、その反対側である図１（ａ）及び図１（ｂ）中の左側を「前方側」と称する。
【００３４】
図１（ａ）及び図１（ｂ）において、このリーダ１は、リーダ本体１０と、携帯情報端末としてのＰｅｒｓｏｎａｌ  Ｄｉｇｉｔａｌ  Ａｓｓｉｓｔａｎｔ（以下「ＰＤＡ」と称する）３０とを備えている。リーダ本体１０とＰＤＡ３０との間は、ケーブル２０（後述の図４も参照）を介し情報送受信可能に接続されている。
【００３５】
リーダ本体１０は、本体筐体２と、上記把持部４とを備えている。
【００３６】
本体筐体２には、着脱部３と、可動支持手段としての回動支持部６とが設けられている。
【００３７】
着脱部３は、ＰＤＡ３０を、表示手段である表示部３６（後述の図６、図４等を参照）の表示面３６Ａが上側となるようにしつつ着脱自在に支持する。
【００３８】
回動支持部６は、アンテナ筐体７の端を回転可能に支持する。すなわち、アンテナ筐体７は、図１（ａ）に示すようなＰＤＡ３０の表示部３６の上部を覆うための保護位置と、図１（ｂ）に示すような通信位置とに切り替え可能である。なお、このようにしてアンテナ筐体７が回動するとき、アンテナ筐体７と本体筐体２とがなす角度θ１は、検出手段としての角度センサ１３（後述の図４参照）によって検出される。
【００３９】
図１（ａ）に示す保護位置では、アンテナ筐体７は、着脱部３により装着されたＰＤＡ３０の表示部３６を含む上面を覆うカバーとして機能する。図１（ｂ）に示す通信位置は、図１（ａ）に示す保護位置から、アンテナ筐体７が図１（ｂ）中の黒矢印方向に回転し立ち上がることにより、実現される。白抜き矢印で示すように、この通信位置では、リーダアンテナ１８の放射面ＲＤ（後述の図２（ａ）及び図２（ｂ）参照）は、略鉛直方向となり、前方側に電磁波を放射することができる。
【００４０】
また、アンテナ筐体７には、無線タグＴ（後述の図４参照）に対し無線通信を行うための、装置アンテナとしてのリーダアンテナ１８（後述の図２、図４等を参照）が設けられている。アンテナ筐体７のＰＤＡ３０側には、鏡面ＭＲが設けられている（後述の図２（ａ）及び図２（ｂ）も参照）。この鏡面ＭＲは、上記通信位置において、図示左右方向の水平面からなす仰角θ２が９０°未満となるように、配置されている。なお、図１（ａ）及び図１（ｂ）に示すように、アンテナ筐体７の側面形状は、全体として末広がりの扇形形状となっている。
【００４１】
把持部４は、本体筐体２の後方側の下側に設けられている。また、把持部４には、リーダアンテナ１８を用いた無線通信の開始又は停止を操作者Ｍが指示できるように、トリガスイッチ５が設けられている。後述するように、この例では、リーダアンテナ１８からの無線通信は、トリガスイッチ５をオン、つまり押している間だけ、実行される。
【００４２】
アンテナ筐体７の詳細構成を図２（ａ）及び図２（ｂ）を用いて説明する。前述したように、アンテナ筐体７には、無線タグＴと無線通信を行うためのリーダアンテナ１８が内蔵されている。リーダアンテナ１８としては、例えば反射素子付きループアンテナやパッチアンテナを用いることができる。
【００４３】
リーダアンテナ１８としてループアンテナを用いた場合は、図２（ａ）に示すように、リーダアンテナ１８は、上記通信位置における前方側から後方側へ向かって、周知の放射素子１８ａ、反射素子１０ｂ、シールド部材としてのシールド板１８ｃ、及び鏡板１８ｄの順で配列される。
【００４４】
この場合、アンテナ筐体７が通信位置に立ち上げられたときには、リーダ１の前方側から後方側へ向かって、放射素子１８ａ、反射素子１８ｂ、シールド板１８ｃ、鏡板１８ｄの順番で配列される。このような位置関係により、放射素子１８ａで生成された電磁波は、直接に、若しくは、反射素子１８ｂで反射された後、リーダ１の前方側に位置する無線タグＴへと確実に放射される。特に、反射素子１８ｂと鏡板１８ｄとの間に、電磁波を減衰又は遮断するシールド板１８ｃを設けているので、鏡板１８ｄ側への電磁波の漏れが抑制又は防止されるので、リーダアンテナ１８が無線タグＴとの通信をさらに効率よく行うことができる。
【００４５】
また、鏡板１８ｄは、ＰＤＡ３０の表示部３６の表示面３６Ａを覆う側が鏡面ＭＲとなっている。鏡面ＭＲは、電磁波の放射に影響を及ぼすことなく、操作者Ｍに対し、表示面３６Ａの像を映し出すことができる。これにより、アンテナ筐体７が通信位置に立ち上げられたとき、その立ち上がったアンテナ筐体７の裏面側すなわち操作者Ｍ側に位置する鏡面ＭＲを介し、操作者Ｍが表示面３６Ａを視認することができる。この結果、図３に示すようにリーダ１が操作者Ｍの前方側で無線タグＴに向かって無線通信を行っている際、操作者Ｍが表示面３６Ａの内容を確認したい場合には、リーダ１を前方に位置させたまま、単に視線を鏡面ＭＲに向ければ足りる。すなわち、リーダ１を手元に引き寄せ、表示面３６Ａを上方からのぞき込む、という手間をかける必要はない。この結果、操作者Ｍの視認性を向上することができる。
【００４６】
一方、リーダアンテナ１８としてパッチアンテナを用いた場合は、図２（ｂ）に示すように、リーダアンテナ１８は、上記通信位置における前方側から後方側へ向かって、周知の放射板１８ａ′、誘電体層１８ｂ′、及び地板１８ｃ′の順で配列される。この場合も、上記同様、放射板１８ａ′で生成された電磁波が、リーダ１の前方側に位置する無線タグＴへと確実に放射されるので、無線タグＴとの通信を効率よく行うことができる。
【００４７】
また、地板１８ｃ′のＰＤＡ３０と対向する側、つまり図示右側に、鏡面ＭＲが設けられている。この鏡面ＭＲも、上記同様、電磁波の放射に影響を及ぼすことなく、操作者Ｍに対し、表示面３６Ａの像を映し出すことができるので、操作者Ｍの視認性を向上することができる。
【００４８】
なお、図２（ａ）及び図２（ｂ）のいずれの場合も、上記通信位置において、リーダアンテナ１８の放射方向と直交する放射面ＲＤ（二点鎖線参照）は、図示上下方向である鉛直方向となる。言い換えれば、上記図１（ｂ）に示す通信位置は、上記放射面ＲＤが、水平面と９０°をなす鉛直方向となるような位置である。
【００４９】
図４を用いて、リーダ本体１１０及びＰＤＡ３０を備えたリーダ１の機能的構成を説明する。
【００５０】
図４において、リーダ本体１０は、上記トリガスイッチ５と、上記リーダアンテナ１８と、通信制御部１１と、制御回路１２と、上記角度センサ１３と、送信回路１５と、受信回路１６と、アンテナ共用器１７とを有している。
【００５１】
通信制御部１１は、ＰＤＡ３０との間で上記ケーブル２０を介して行われる情報通信の制御を行う。
【００５２】
制御回路１２は、図示しないＣＰＵと、ＲＯＭ及びＲＡＭ等のメモリとを備えている。この制御回路１２は、ＲＡＭの一時記憶機能を利用しつつ、ＲＯＭに予め記憶されたプログラムを実行することにより、リーダ本体１０全体の動作を制御する。
【００５３】
送信回路１５及び受信回路１６は、リーダアンテナ１８を介し、所定の通信範囲Ｓ内に存在する、無線タグＴの無線タグ回路部Ｔｏへアクセスし、情報の送受信を行う。無線タグ回路部Ｔｏは、タグアンテナ１５１及びＩＣ回路部１５０を備えている。タグアンテナ１５１は、情報の送受信を行う。ＩＣ回路部１５０は、情報を記憶する図示しないメモリ部を備えている。これら送信回路１５及び受信回路１６とリーダアンテナ１８とは、アンテナ共用器１７を介し接続されている。
【００５４】
なお、上記ではアンテナ共用器１７を用いて１つのリーダアンテナ１０で情報の送受信を行うようにしたが、これに限られない。すなわち、送信回路１５と受信回路１６とに対応してリーダアンテナ１８を２つ設けるようにしてもよい。
【００５５】
ＰＤＡ３０は、ＰＤＡ３０全体の制御を行う制御部３５を有している。この制御部３５には、バス３２を介し、外部通信部３８、操作部３４、上記表示部３６、及び記憶部３７が接続されている。
【００５６】
外部通信部３８は、リーダ１との間でケーブル２０を介して行われる情報通信の制御を行う。
【００５７】
操作部３４は、数字キーや操作ボタン等を備え、操作者Ｍにより各種操作入力が行われる。
【００５８】
表示部３６は、例えば液晶ディスプレイ等からなり、各種表示を行う。
【００５９】
記憶部３７は、各種情報や各種プログラム等を記憶する。
【００６０】
ここで、本実施形態では、上記角度センサ１３の検出結果に応じ、ＰＤＡ３０の表示部３６の表示面３６Ａが正像又は鏡像を切り替え表示する。以下、この機能を実現するための制御手順を、図５を参照して説明する。なお、この図５では、基本的に図中上側から下側に向かっての時系列変化で各手順を示している。
【００６１】
図５に示すように、まずステップＳＲ４０で、リーダ本体１０の制御回路１２が、角度センサ１３が出力するセンサ検出信号を入力する。次にステップＳＲ４５に移り、リーダ本体１０の制御回路１２は、センサ検出信号が示す角度θ１が所定のしきい値以上かどうかを判定する。しきい値としては、例えば１２０°程度とすることが考えられる。ステップＳＲ４５で入力された角度θ１がしきい値以上であった場合にはステップＳＲ４５の判定が満たされ、ステップＳＲ５５に移る。
【００６２】
ステップＳＲ５５では、リーダ本体１０の制御回路１２は、ＰＤＡ３０に設定するモードとして、表示面３６Ａに正像を表示させる正像表示モードを選択する。その後はステップＳＲ６０に移る。
【００６３】
一方、上記ステップＳＲ４５において、センサ検出信号が示す角度θ１がしきい値未満であった場合には、判定は満たされず、ステップＳＲ５０に移る。
【００６４】
ステップＳＲ５０では、リーダ本体１０の制御回路１２は、ＰＤＡ３０に設定するモードとして、表示面３６Ａに鏡像を表示させる鏡像表示モードを選択する。その後はステップＳＲ６０に移る。
【００６５】
ステップＳＲ６０では、リーダ本体１０の制御回路１２は、通信制御部１１を介して、ステップＳＲ５０又はステップＳＲ５５により選択されたモード、すなわち鏡像表示モード又は正像表示モードをＰＤＡ３０に設定するためのモード選択信号を出力する。これにより、ＰＤＡ３０の制御部３５は、ステップＳＰ１００で、外部通信部３８を介してモード選択信号を受信し、表示モードを、そのモード選択信号により指定された上記鏡像表示モード又は上記正像表示モードに設定する。
【００６６】
上記モード選択信号を出力したリーダ本体１０の制御回路１２は、ステップＳＲ６５に移り、トリガスイッチ５がオンにされたかどうかを判定する。トリガスイッチ５がオンにされていない場合、ステップＳＲ６５の判定が満たされず、上記ステップＳＲ４０に戻る。トリガスイッチ５がオンにされた場合、ステップＳＲ６５の判定が満たされ、ステップＳＲ７０に移る。
【００６７】
ステップＳＲ７０では、リーダ本体１０の制御回路１２は、上記通信範囲Ｓ内の無線タグＴからの無線通信による情報の読み取りを開始する。具体的には、リーダ本体１０の制御回路１２は、無線タグＴの無線タグ回路部Ｔｏに記憶された情報を読み取るためのタグ読み取り信号を、送信回路１５及びリーダアンテナ１８を介し通信範囲Ｓ内の無線タグ回路部Ｔｏに送信し、返信を促す。
【００６８】
そして、ステップＳＲ７５に移り、リーダ本体１０の制御回路１２は、上記通信範囲Ｓ内の無線タグＴから無線通信により情報を取得したかどうかを判定する。具体的には、リーダ本体１０の制御回路１２は、上記タグ読み取り信号に対応し通信範囲Ｓ内の無線タグ回路部Ｔｏから返信された応答信号を、リーダアンテナ１８及び受信回路１６を介し受信したかどうかを判定する。応答信号を受信するまで、判定が満たされずループ待機する。そして、応答信号を受信したら、判定が満たされて、受信した応答信号に基づき無線タグ回路部Ｔｏに記憶された情報を取得し、ステップＳＲ８０に移る。
【００６９】
ステップＳＲ８０では、リーダ１の制御回路１２は、上記無線タグＴの無線タグ回路部Ｔｏから取得した情報を、通信制御部１１及びケーブル２０を介しＰＤＡ３０に出力する。これにより、ＰＤＡ３０の制御部３５は、上記無線タグＴの無線タグ回路部Ｔｏから取得した情報を、ケーブル２０及び外部通信部３３を介し受信する。
【００７０】
その後、ステップＳＰ１０５で、ＰＤＡ３０の制御部３５は、所定のアプリケーション処理を実行する。これにより、上記無線タグＴの無線タグ回路部Ｔｏから取得した情報を、表示部３６の表示面３６Ａに表示させるとともに、記憶部３７に記憶させる。このとき、表示面３６Ａは、上記ステップＳＰ１００で設定した表示モードに従って表示を行う。この結果、上記ステップＳＲ５０で鏡像表示モードが選択されていた場合には鏡像による情報表示を行い、上記ステップＳＲ５５で正像表示モードが選択されていた場合には正像による情報表示を行う。
【００７１】
一方、上記のようにしてステップＳＲ８０で情報をＰＤＡ３０に出力したリーダ本体１０の制御回路１２は、ステップＳＲ８５で、トリガスイッチ５がオフにされたかどうかを判定する。トリガスイッチ５がオフにされるまで、判定が満たされず上記ステップＳＲ７０に戻り、無線タグＴから情報の読み取りを繰り返す。そして、トリガスイッチ５がオフにされたら、ステップＳＲ８５の判定が満たされてステップＳＲ９０に移る。
【００７２】
ステップＳＲ９０では、リーダ本体１０の制御回路１２は、上記通信範囲Ｓ内の無線タグＴからの無線通信による情報の読み取りを停止する。
【００７３】
そして、ステップＳＲ９５に移り、リーダ本体１０の制御回路１２は、所定の終了操作、例えばリーダ１の電源オフ、が行われたかどうかを判定する。終了操作が行われていない場合には、判定が満たされず上記ステップＳＲ４０に戻り、同様の手順を繰り返す。終了操作が行われた場合には、判定が満たされて、このフローを終了する。
【００７４】
なお、上記において、図５に示すステップＳＲ４５が、各請求項記載の判定手段として機能し、ステップＳＰ１００が、表示制御手段として機能する。
【００７５】
以上のように構成した本実施形態のリーダ１においては、無線タグＴと通信が行われるときは、操作者Ｍによって、アンテナ筐体７が図１（ｂ）に示す通信位置へと立ち上げられ、無線通信を行う。無線タグＴとの通信が行われないときは、アンテナ筐体７は操作者Ｍによって、図１（ａ）に示す保護位置へと戻される。保護位置では、アンテナ筐体７は表示面３６Ａを覆い、表示面３６Ａのカバーとして機能する。この結果、リーダアンテナ１８による無線通信を行わないときのアンテナ筐体７を活用し、表示部３６の表示面３６Ａの保護を図ることができる。これにより、汚れが表示面に付着したり、液体がＰＤＡ３０の内部に入り込むのを防止することができる。なお、この効果を確実にするために、アンテナ筐体７の鏡面ＭＲの大きさは、少なくともＰＤＡ３０の大きさよりも大きくなっている。
【００７６】
また、本実施形態では特に、回動支持部６は、通信位置においてリーダアンテナ１８の放射面ＲＤが略鉛直方向となるように、アンテナ筐体７を支持している（図１（ｂ）参照）。これにより、アンテナ筐体７に備えられたリーダアンテナ１８は、通信位置において、リーダ１の前方側へ向かって電磁波を放射し、通信対象の無線タグＴと円滑に通信を行うことができる。
【００７７】
また、本実施形態では特に、通信位置における鏡面ＭＲの水平面からの仰角θ２が９０°未満となるように構成されている。これにより、上記図３に示したように操作者Ｍが把持部４を握り自らの身体の前方にリーダ１を位置させ操作している場合、当該操作者Ｍからみて、鏡面ＭＲは、斜め下方に傾斜した状態となる。この結果、操作者Ｍは、鏡面ＭＲを介し、確実に表示面３６Ａを視認することができる。
【００７８】
このとき特に、表示面３６Ａは、鏡面ＭＲを介した視認により正像となるような、鏡像を表示する。図６はこのときの表示の一例を示しており、ＰＤＡ３０の表示面３６Ａが鏡像ＭＩを表示することによって、鏡面ＭＲには、上記鏡像ＭＩの上下が逆になった正像ＲＩが映っている。これにより、操作者Ｍは、鏡面ＭＲの中に生成される表示面３６Ａの表示内容の正像ＲＩにより、本来視認したい情報を容易に得ることができる。
【００７９】
また、本実施形態では特に、鏡像表示と正像表示とを、センサ１３の検出角度に基づき、自動的に切り替える。これには以下のような意義がある。前述したように、無線通信が行われる場合には、アンテナ筐体７は保護位置から通信位置に立ち上げられ、操作者Ｍは、アンテナ筐体７の裏面側にある鏡面ＭＲを介して、表示面３６Ａの視認を行う。ここで、操作者Ｍが、何らかの事情で、上記鏡面ＭＲ越しの視認ではなく、直接表示面３６Ａをのぞき込んで視認したいと意図する場合が考えられる。この場合、図７に示すように、通常、アンテナ筐体７は、操作者Ｍの上記のぞき込む動作の妨げにならないように、通信位置からさらに上記の立ち上げ方向と同じ方向に回動される。本実施形態では、上記に対応して、センサ１３で検出された角度が所定のしきい値以上である場合には、操作者Ｍが上記図７に示すようなのぞき込み動作を行う意図であるとみなし、表示面３６Ａの表示を鏡像表示から正像表示に切り替える。これにより、操作者Ｍは、特に表示切り替えに関する特別な操作を行わなくても、アンテナ筐体７を大きく回動させるだけで、表示面３６Ａで表示される正像により、本来視認したい情報を容易に得ることができる。なお、さらなる視認性の向上を図るために、上記仰角θ２の大きさに応じて、表示面３６Ａにおける画像表示や文字表示の縦横比を変化させるようにしてもよい。
【００８０】
なお、本発明は、上記実施形態に限られるものではなく、その趣旨及び技術的思想を逸脱しない範囲内で種々の変形が可能である。以下、そのような変形例を順を追って説明する。
【００８１】
（１）鏡像・正像を手動操作で切り換える場合
上記実施形態においては、鏡像表示と正像表示とを、センサ１３の検出角度に基づき、自動的に切り替えたが、これに限られず、手動操作によって行うようにしてもよい。例えば、図８に示すように、ＰＤＡ３０に、正像表示を行うか鏡像表示を行うかを選択可能なボタン３４ａを設け、そのボタン３４ａへの操作により、正像表示と鏡像表示とを切り換えるようにしても良い。このボタン３４ａが、各請求項記載の第１指示手段を構成する。またこのときのＰＤＡ３０による表示モードの切り替えが、表示制御手段として機能している。図８の例は、ボタン３４ａの操作によって、表示面３６Ａでの表示が、鏡像ＭＩから正像ＲＩに切り換えられている例である（矢印参照）。
【００８２】
本変形例においては、操作者Ｍは、自らの手動操作により、表示面３６Ａに正像ＲＩによる情報表示を行わせて直接表示面３６Ａを視認して情報を得るか、表示面３６Ａに鏡像ＭＩによる情報表示を行わせて鏡面ＭＲ越しに表示面３６Ａを視認して情報を得るか、を選択することができる。この結果、操作者Ｍにとっての利便性が向上する。
【００８３】
（２）アンテナ筐体を跳ね上げ駆動する場合
すなわち、この変形例では、図９（ａ）及び図９（ｂ）に示すように、アンテナ筐体７を保護位置から通信位置まで立ち上げる、跳ね上げ駆動力を与えるためのばね６ａが、回動支持部６に設けられている。また、アンテナ筐体７の後方側には凹部７ａが設けられている。これに対応して、本体筐体２には、上記凹部７ａに先端が挿入するフック７１と、フック７１を図９（ｂ）に示す移動方向に移動させるための、第２指示手段としてのボタン７２とが設けられている。
【００８４】
アンテナ筐体７が保護位置にある状態では、図９（ａ）に示すように、フック７１が凹部７ａに係合している。この状態で、操作者Ｍがボタン７２を押すと、不図示の伝達系を介してフック７１が図９（ｂ）中に示す移動方向に移動し、フック７１の先端が凹部７ａから脱出する。これにより、アンテナ筐体７は、ばね６ａの付勢力により図９（ｂ）中の円弧矢印のように回動して通信位置まで自動的に立ち上がる。ボタン７１の押下を解除した場合、フック７１は図９（ａ）に示す位置に復帰する。なお、ばね６ａ及びフック７１が、各請求項記載の駆動手段を構成している。なお、アンテナ筐体７を回動させる手段としてばね６ａ以外の、例えばモータ等を用いても良い。
【００８５】
本変形例によれば、操作者Ｍが、ボタン７２を操作することで、アンテナ筐体７が保護位置から通信位置へと立ち上がり、円滑に無線タグＴとの通信を行うことができる。これにより、操作者Ｍにとってより高い利便性が得られる。
【００８６】
なお、ばね６ａを設けることなく上記フック７１のみを設けることで、当該フック７１を、アンテナ筐体７の確実な固定を行うためにのみ用いるようにしてもよい。
【００８７】
（３）その他
なお、以上においては、本体筐体２の前方側部分に設けた、可動支持手段としての回動支持部６で、保護位置と通信位置とを含む範囲で可動となるようにアンテナ筐体７を支持したが、これに限られない。すなわち、図１０に模式的に示すリーダ１′のように、アンテナ筐体７の上記末広がり形状の厚みが薄い側の端部７ａを、回動支持手段としての回動支持部６′によって本体筐体２の中央部に接続してもよい。この場合、アンテナ筐体７は、保護位置において鏡面ＭＲが上部となるような、上記実施形態とは上下が逆となるような配置となる。この場合も、回動支持部６′をリンク機構のように使用し、アンテナ筐体７を図１０（ａ）に示す保護位置から立ち上げて図１０（ｂ）に示す通信位置へと切り替えることができる。この場合も、前述と同様の効果を得ることができる。
【００８８】
なお、図５に示すフローチャートは本発明を上記フローに示す手順に限定するものではなく、発明の趣旨及び技術的思想を逸脱しない範囲内で手順の追加・削除又は順番の変更等をしてもよい。
【００８９】
また、図４に示す矢印は信号の流れの一例を示すものであり、信号の流れ方向を限定するものではない。
【００９０】
また、以上既に述べた以外にも、上記実施形態や各変形例による手法を適宜組み合わせて利用しても良い。
【００９１】
その他、一々例示はしないが、本発明は、その趣旨を逸脱しない範囲内において、種々の変更が加えられて実施されるものである。
【符号の説明】
【００９２】
１                リーダ（携帯型無線タグ通信装置）
１′              リーダ（携帯型無線タグ通信装置）
２                本体筐体
４                把持部
５                トリガスイッチ
６                回動支持部（可動支持手段）
６ａ              ばね（駆動手段）
７                アンテナ筐体
１０              リーダ本体
１３              角度センサ（検出手段）
１８              リーダアンテナ（装置アンテナ）
１８ａ            放射素子
１８ｂ            反射素子
１８ｃ            シールド板（シールド部材）
１８ｄ            鏡板
３０              ＰＤＡ
３４ａ            ボタン（第１指示手段）
３６              表示部
３６Ａ            表示面
７１              フック（駆動手段）
７２              ボタン（第２指示手段）
ＭＩ              鏡像
ＭＲ              鏡面
ＲＩ              正像
Ｔ                無線タグ
θ２              仰角
【図１】
2011197854.tif 000003
【図２】
2011197854.tif 000004
【図３】
2011197854.tif 000005
【図４】
2011197854.tif 000006
【図５】
2011197854.tif 000007
【図６】
2011197854.tif 000008
【図７】
2011197854.tif 000009
【図８】
2011197854.tif 000010
【図９】
2011197854.tif 000011
【図１０】
2011197854.tif 000012